(57)【要約】      （修正有）【課題】採光した太陽光を複数の任意の個所に分岐させ、簡便に導光する太陽光導光体を提供する。【解決手段】内径が約３〜１０ｃｍ程度の複数本の内面に反射材を施した導光チューブ２ａ〜２ｇを束ね、束ねた導光チューブ２ａ〜２ｇの外周全体を被覆材により覆って太陽光導光体１であって、採光部を建物の屋根に設けられた採光窓等に取り付け、太陽光導光体１を建物の内部に引き込み、可撓性を利用して建物の壁内や天井裏に沿って自在に曲設しながら、導光すべき個所に導光することができる。【選択図】図３
2016142984.tif 000002
【特許請求の範囲】
【請求項１】
光に対し高反射性を有する光反射材を内面に施し、内部を空胴の管体状とした複数本の可撓性を有する導光チューブを束ね、外側を被覆材で覆ったことを特徴とする太陽光導光体。
【請求項２】
前記導光チューブは帯状の条板の片面に前記光反射材の層を設け、前記光反射材の層を施した面が内側となるように、前記条板を長手方向に管体状に丸めながら前記導光チューブに成形することを特徴とする請求項１に記載の太陽光導光体。
【請求項３】
前記導光チューブの一端を断面多角形に形成し、隣接する前記導光チューブの一端同士の辺部が互いに隙間なく接するように並べて採光部としたことを特徴とする請求項１又は２に記載の太陽光導光体。
【発明の詳細な説明】
【技術分野】
【０００１】
本発明は、太陽光を住宅等の室内に導光する太陽光導光体に関するものである。
【背景技術】
【０００２】
従来から、住宅等の室内に明るい太陽光を導光するには、壁面に設けられたガラス窓や屋根等に設けられた天窓を介して太陽光を直接に導光している。
【０００３】
しかし、南向きのガラス窓や天窓を有する部屋には太陽光が十分に届くが、外部に接していない地下室や北向きの部屋等には窓等から太陽光が十分に入光しない。
【０００４】
例えば、特許文献１においては、地下室等に太陽光を導光する太陽光導光装置が開示されている。また特許文献２においては、導光体を分岐して太陽光を複数の部屋に分岐させることが開示されている。
【先行技術文献】
【特許文献】
【０００５】
【特許文献１】特開平６−１７４９３０号公報
【特許文献２】実公昭５８−１２３３０号公報
【発明の概要】
【発明が解決しようとする課題】
【０００６】
しかし、特許文献１の太陽光導光装置は、可撓性は有しているが１本の光伝送ホースから成り、分岐させることができず、先端の１個所のみにしか導光させることができない。
【０００７】
また、特許文献２の採光装置は、分岐用反射鏡を介して主管路から分岐管路に分岐しており、建物の建築現場で主管路と分岐管路を接続したり、分岐用反射鏡の角度の正確な調整を行う必要があり、設置に多大な労力を要してしまう。また、建物の建設時に、建物の一部として設置しなければならない。
【０００８】
本発明の目的は、上述の問題点を解消し、ガラス窓や天窓を有する部屋を有しない部屋や、或いはガラス窓や天窓から離れた位置であっても、採光した太陽光を既存の建物に対しても任意の個所に簡便に導光することができる太陽光導光体を提供することにある。
【課題を解決するための手段】
【０００９】
上記目的を達成するための本発明に係る太陽光導光体は、光に対し高反射性を有する光反射材を内面に施した複数本の可撓性を有する導光チューブを束ね、外側を被覆材で覆ったことを特徴とする。
【発明の効果】
【００１０】
本発明に係る太陽光導光体によれば、複数の可撓性の導光チューブを束ねて任意の個所に太陽光を導光できる。
【図面の簡単な説明】
【００１１】
【図１】実施例の太陽光導光体を建物に取り付けた状態の説明図である。
【図２】導光チューブの縦断面図である。
【図３】太陽光導光体の横断面図である。
【図４】採光窓側に位置する太陽光導光体の先端部の斜視図である。
【図５】導光チューブを平列させた状態の部分的斜視図である。
【発明を実施するための形態】
【００１２】
本発明を図示の実施例に基づいて詳細に説明する。
図１は本実施例における太陽光導光体１を建物に取り付けた状態の説明図を示している。ビルや住宅等の建物Ｈの屋根等に設けた採光窓から太陽光を導光するために、内部を空胴とした管体状の複数本の導光チューブ２を束ね、可撓性を有する太陽光導光体１が建物Ｈに取り付けられている。
【００１３】
図２は導光チューブ２の縦断面図を示し、断面円形の導光チューブ２の内面には、高反射率の光反射材３の層が貼付、塗布、蒸着等により設けられている。
【００１４】
この導光チューブ２を作成するには、例えば軟質の合成樹脂や軽金属等の可撓性を有する帯状の条材の片面に、例えば厚さ０．２ｍｍ程度の高反射性素材であるアルミニウム等から成るシートを貼り付けたり、高反射性を有する塗料を塗布したりして、光反射材３の層を形成した後に光反射材３の層が内面となるように、フォーミング機械等により管体を長手方向に丸めてからフォーミングしてゆくことで製作することができる。
【００１５】
このように導光チューブ２は主に可撓性を有する条材から形成されるので、導光チューブ２自体に適度な可撓性を有する。更には、導光チューブ２の内面に高反射性素材の金属シート等を設けることにより、導光チューブ２全体に適度の保形性が備わり、導光チューブ２を曲げた際にその形状を保持することが可能となる。
【００１６】
或いは、既存の可撓性を有する管体の内壁に、高反射性を有する塗料から成る光反射材３等を塗布し、これらの管体を順次に接続してゆくことでも製作できる。更には、透明で可撓性を有する合成樹脂管の外側にアルミニウム等の高反射性を持つ光反射材３を巻回して貼付けてもよい。
【００１７】
図３に示すように、太陽光導光体１は例えばそれぞれの内径が約３〜１０ｃｍ程度の例えば７本の導光チューブ２ａ〜２ｇが束ねられ、束ねた導光チューブ２ａ〜２ｇの外周全体を合成ゴム等の被覆材４により覆われている。
【００１８】
図４は太陽光を採光する採光窓側に配置する太陽光導光体１の採光部５の斜視図を示している。導光チューブ２ａ〜２ｇの一端は断面正六角形に加工され、例えば高反射性の金属や内面に光反射材を施した合成樹脂から成る正六角形の枠体６ａ〜６ｇにそれぞれ嵌合され、図示しない被覆材により覆われ、採光部５とされている。
【００１９】
このように、太陽光導光体１の採光部５では、正六角形の導光チューブ２ａ〜２ｇ同士を束ねることによりハニカム構造とすることが好ましい。採光部５をハニカム構造とすることにより、効率的に導光チューブ２ａ〜２ｇを配列することができ、導光チューブ２ａ〜２ｇ間の隙間がなくなり、小さな個所からも、太陽光を無駄なく効率的に採光することができる。なお、採光窓の形状は、複数本の導光チューブ２を束ねた太陽光導光体１の断面形状と合致させることもできる。
【００２０】
また、太陽光導光体１の採光部５に太陽光を更に効率良く集光するために、集光レンズや集光凹面鏡を太陽光導光体１の周囲に配置し、光レンズや集光凹面鏡によって集光された太陽光を太陽光導光体１の採光部５に導光するようにしてもよい。
【００２１】
なお、本実施例においては、採光部５である導光チューブ２の一端は、断面正六角形としたが断面正六角形以外でも、例えば断面三角形、断面四角形等の断面多角形の形状であっても、導光チューブ２の辺部同士が互いに接し、隣り合う導光チューブ２間に隙間がなく接するように並べれば、適宜の断面多角形の形状を採用することができる。
【００２２】
図２に示すように、導光チューブ２の一端から導光された太陽光Ｌは、導光チューブ２内で光反射材３により反射を繰り返すことにより、導光チューブ２内を進行する。
【００２３】
上述のように、導光チューブ２ａ〜２ｇを束ねた太陽光導光体１は可撓性を有することから、図１に示すように採光部５を建物Ｈの屋根に設けられた採光窓等に取り付け、太陽光導光体１を建物Ｈの内部に引き込み、建物Ｈの壁内や天井裏に沿って自在に曲設しながら引き込むことができる。
【００２４】
なお、図３に示すように、７本の導光チューブ２ａ〜２ｇの束ねた状態の太陽光導光体１では、直径が太過ぎて、壁の間や天井裏のような偏平な個所に配置できない場合や、直角に大きく曲げることができない場合がある。
【００２５】
このような場合には、図５に示すように被覆材４の一部を剥がして、導光チューブ２ａ〜２ｇを束ねた状態から一列の並列した状態とすると、容易に配置することができる。このように、導光チューブ２ａ〜２ｇを平面状に並べることにより、壁の間や天井裏の狭い偏平な個所にも配置し易く、大きく曲げ易くなる。
【００２６】
更には、被覆材４を一部剥がすとにより、図１に示すように太陽光導光体１の一部の導光チューブ２ａ〜２ｃを例えば２階の部屋Ｈａに引き込み、一部の導光チューブ２ｄ、２ｅを１階の部屋Ｈｂに分岐して引き込み、一部の導光チューブ２ｆ、２ｇを地下室である部屋Ｈｃに分岐して引き込むこともできる。そして、導光チューブ２ａ〜２ｇの先端部から導光した太陽光が各部屋内に照射することになる。
【００２７】
本実施例では７本の導光チューブ２を束ねた太陽光導光体１を例に用いて説明したが、特に光量を必要する個所には、７本の回りに更に１周分の導光チューブ２を１２本を加えた計１９本を束ねたものを太陽光導光体１として使用することもできる。導光チューブ２を多く束ねることにより、より多くの光量を導光することもできる。太陽光導光体１の導光チューブ２の本数は適宜に変更して、引き回しや光量の調整をすることもできる。
【００２８】
太陽光導光体１は、被覆材４により覆われた可撓性を有する管体から成ることから、建物Ｈの現場において被覆材４を剥がすだけで、導光チューブ２を導光すべき個所に容易に分岐することができ、接続や調整の作業も不要であり、現場での設置作業も極めて簡便に行うことができる。また、被覆材４に代えて、所定間隔に複数の導光チューブ２を束ねる結束具を配置するようにしてもよい。結束具を解除することで導光チューブ２の分岐が可能となる。
【００２９】
以上のように、各導光チューブ２ａ〜２ｇは反射鏡等を用いなくとも、採光部５から入射した太陽光Ｌを部屋Ｈａ、Ｈｂ、Ｈｃまで導光させることができる。
【００３０】
なお、導光に際して、導光チューブ２では太陽光の一部は熱に変換され、太陽光導光体１が熱を持つことになるので、被覆材４は断熱性を有することが好ましい。
【符号の説明】
【００３１】
１  太陽光導光体
２ａ〜２ｇ  導光チューブ
３  光反射材
４  被覆材
５  採光部
６ａ〜６ｇ  枠体
Ｈ  建物
【図１】
2016142984.tif 000003
【図２】
2016142984.tif 000004
【図３】
2016142984.tif 000005
【図４】
2016142984.tif 000006
【図５】
2016142984.tif 000007